(57)【特許請求の範囲】
【請求項１】
プリンター本体に開閉可能に取り付けた開閉蓋と、
前記プリンター本体に取り付けられて、下端縁に刃先が形成される固定刃と、
前記固定刃に対して前記開閉蓋の開き側に位置の前記開閉蓋に取り付け、刃先が前記固定刃の刃先と所定の間隔を開けて対峙する切断待機位置と前記固定刃の重なる切断終了位置との間を移動する可動刃と、
前記プリンター本体に取り付けられ、前記固定刃の前記刃先よりも下方に位置する下端面を有し、前記可動刃が前記切断終了位置にあるときに前記開閉蓋を開く場合に、前記開閉蓋の移動を規制する係合部材と、
を有することを特徴とするカッター付きプリンター。
【請求項２】
前記係合部材の前記下端面は、前記固定刃および前記可動刃の間を通って搬送される記録紙を案内する記録紙案内部である請求項１に記載のカッター付きプリンター。
【請求項３】
ロール紙を収納するロール紙収納部を有し、
前記開閉蓋は、前記ロール紙収納部を開閉する開閉蓋である請求項１または２に記載のカッター付きプリンター。
【発明の詳細な説明】
【技術分野】
【０００１】
本発明は、固定刃がプリンター本体に取り付けられており、可動刃がプリンター本体に開閉可能に取り付けられた開閉蓋に取り付けられているカッター付きプリンターに関する。より詳細には、可動刃が取り付けられている開閉蓋を開閉する際の安全性を確保することができるカッター付きプリンターに関する。
【背景技術】
【０００２】
カッター付きロール紙プリンターは、ロール紙から繰り出される長尺状の記録紙を、ロール紙収納部から印刷位置および切断位置を経由して記録紙排出口に至る記録紙搬送経路に沿って搬送する。印刷位置では印刷ヘッドにより記録紙に印刷を施し、切断位置ではオートカッターにより記録紙を切断する。オートカッターは切断位置で刃先を記録紙搬送経路に向けている一対の固定刃および可動刃を備えており、可動刃は、その刃先が固定刃と所定の間隔を開けて対峙している切断待機位置と、その刃先が固定刃と全領域で重なる切断終了位置との間を移動可能となっている。
【０００３】
このようなカッター付きロール紙プリンターは、例えば、特許文献１に記載されている。同文献のカッター付きロール紙プリンターでは、固定刃はロール紙収納部が形成されているプリンター本体に取り付けられており、可動刃はロール紙収納部を開閉するためにプリンター本体に開閉可能に取り付けた開閉蓋に取り付けられている。可動刃は、開閉蓋がロール紙収納部を閉鎖している閉じ位置にあるときに切断位置に配置され、記録紙を切断する際には、切断待機位置から切断終了位置へ向けて移動させられる。
【先行技術文献】
【特許文献】
【０００４】
【特許文献１】特開２００１−１２１７６４号公報
【発明の概要】
【０００５】
同文献では、可動刃は固定刃に対して開閉蓋の開き側に配置されているので、開閉蓋を開く際に可動刃と固定刃とが干渉することがない。このため、記録紙切断中にオートカッターが故障して、可動刃が切断待機位置から切断終了位置の側に移動したままのロック状態に陥ってしまった場合でも、開閉蓋を開くことが可能となっている。
【０００６】
ここで、可動刃が切断待機位置から切断終了位置の側に移動したままの状態で開閉蓋を開くと、可動刃は開閉蓋から突出した状態で開閉蓋と共に移動してプリンター本体の外側に露出する。このため、開閉蓋の開動作を行っているオペレーターに可動刃の刃先が触れてしまう危険性がある。
【０００７】
本発明の課題は、このような点に鑑みて、可動刃が取り付けられた開閉蓋を開閉する際の安全性を確保することができるカッター付きプリンターを提案することにある。
【課題を解決するための手段】
【０００８】
上記課題を解決するために、本発明のカッター付きプリンターは、
プリンター本体に開閉可能に取り付けた開閉蓋と、
前記プリンター本体に取り付けられて、下端縁に刃先が形成される固定刃と、
前記固定刃に対して前記開閉蓋の開き側に位置の前記開閉蓋に取り付け、刃先が前記固定刃の刃先と所定の間隔を開けて対峙する切断待機位置と前記固定刃の重なる切断終了位置との間を移動する可動刃と、
前記プリンター本体に取り付けられ、前記固定刃の前記刃先よりも下方に位置する下端面を有し、前記可動刃が前記切断終了位置にあるときに前記開閉蓋を開く場合に、前記開閉蓋の移動を規制する係合部材と、
を有することを特徴とする。
【０００９】
本発明によれば、可動刃が開閉蓋から突出した状態で開閉蓋を開くと、開閉蓋に取り付けた可動刃とプリンター本体に取り付けた係合部材が干渉して、開閉蓋の移動が規制される。すなわち、可動刃が開閉蓋から突出した状態では、開閉蓋を開くことができなくなる。従って、例えば、記録紙切断中にオートカッターが故障して、可動刃が切断待機位置から切断終了位置の側に移動したままのロック状態に陥ってしまった場合には、可動刃が開閉蓋から突出した状態となっているので、オペレーターは開閉蓋を開くことができない。この結果、開閉蓋から突出した状態の可動刃が開閉蓋と共に移動してプリンター本体の外側に露出することがないので、開閉蓋の開き動作を行っているオペレーターに可動刃の刃先が触れてしまうこともない。よって、開閉蓋を開閉する際の安全性を確保できる。
【００１０】
本発明において、前記係合部材の前記下端面は、前記固定刃および前記可動刃の間を通って搬送される記録紙を案内する記録紙案内部であることが望ましい。このようにすれば、係合部材によって記録紙を案内できるので、カッター付きプリンターを構成する部品の点数を減らすことができる。
【００１１】
本発明において、記録紙としてロール紙を用いる場合には、ロール紙を収納するロール紙収納部を有し、前記開閉蓋は、前記ロール紙収納部を開閉する開閉蓋とすることができる。
【発明の効果】
【００１２】
本発明によれば、可動刃が開閉蓋から突出した状態で開閉蓋を開くと、開閉蓋に取り付けた可動刃とプリンター本体に取り付けた係合部材が干渉して、開閉蓋の移動が規制される。すなわち、可動刃が開閉蓋から突出した状態では、開閉蓋を開くことができなくなる。この結果、開閉蓋から突出した状態の可動刃が開閉蓋と共に移動してプリンター本体の外側に露出することがないので、開閉蓋を開閉する際の安全性を確保できる。
【図面の簡単な説明】
【００１３】
【図１】本発明のカッター付きロール紙プリンターの外観斜視図である。
【図２】カッター付きロール紙プリンターの概略断面図である。
【図３】オートカッターユニットの斜視図である。
【図４】記録紙案内部材とオートカッターユニットの正面図および断面図である。
【図５】可動刃駆動機構を説明するための説明図である。
【図６】記録紙案内部材とオートカッターユニットの正面図および断面図である。
【図７】記録紙案内部材とオートカッターユニットの正面図および断面図である。
【図８】開閉蓋の開動作時における切断位置周辺の縦断面図である。
【発明を実施するための形態】
【００１４】
以下に、図面を参照して、本発明を適用したカッター付きロール紙プリンターの実施の形態を説明する。
【００１５】
（全体構成）
図１はカッター付きロール紙プリンターの外観斜視図である。図１（ａ）は開閉蓋が閉じ位置にある状態を示しており、図１（ｂ）は開閉蓋が開き位置にある状態を示している。カッター付きロール紙プリンター１は、ロール紙から繰り出される長尺状の記録紙にカラー印刷を行うインクジェットプリンターであり、図１（ａ）に示すように、全体として直方体形状をしたプリンター本体２を備えている。プリンター本体２の前面中央部分にはロール紙３（図２参照）を収納するためのロール紙収納部４の開口部４ａが形成されており、この開口部４ａはプリンター本体２に開閉可能に取り付けられた開閉蓋５によって閉鎖されている。開閉蓋５の上端には記録紙排出ガイド６が取り付けられており、記録紙排出ガイド６とプリンター本体２の開口部４ａの上縁部分との間には、記録紙排出口７が形成されている。プリンター本体２の開閉蓋５の右側部分には電源スイッチ８、紙送りスイッチ９、複数個の動作状態表示ランプ１０などが配列されている。プリンター本体２の開閉蓋５の左側部分には、インクカートリッジを装着するためのインクカートリッジ装着部１１の装着口１１ａが開口しており、この開口からインクカートリッジ装着部１１にインクカートリッジ１２が装着されている。
【００１６】
不図示のロックを解除して開閉蓋５の記録紙排出ガイド６に指を掛けて手前に引くと、開閉蓋５を図１（ａ）に示す閉じ位置５Ａから、下端を中心として前方に倒れた図１（ｂ）に示す開き位置５Ｂまで開けることができる。開閉蓋５を閉じ位置５Ａから開く開動作に伴って、プラテン１３とオートカッター１４を構成する可動刃１５が開閉蓋５と一緒にプリンター本体２の前方に移動する。この結果、ロール紙収納部４から記録紙排出口７に至る記録紙搬送経路１６が開放状態となるので、プリンター前方からロール紙３の装填作業などを簡単に行うことができる。
【００１７】
（内部構成）
図２はプリンター本体の概略断面図であり、ロール紙がロール紙収納部に装填され、開閉蓋が閉じ位置にある状態を示している。図２に示すように、プリンター本体２の内部中央にはロール紙収納部４が形成されている。ロール紙３は、その中心軸がプリンター幅方向に向いた横置き状態でロール紙収納部４に装填されている。ロール紙３から繰り出される長尺状の記録紙３ａは、繰り出しローラー１７を介してプリンター後方に向かって斜め上方に延びた後に、テンションローラー１８によってプリンター前方に湾曲させられ、しかる後にプリンター前後方向に延びて記録紙排出口７に至る記録紙搬送経路１６に沿って搬送される。テンションローラー１８はバネ力によってプリンター後方に付勢されており、テンションローラー１８を通過した記録紙３ａには、所定の張力が付与される。
【００１８】
プリンター前後方向に延びる記録紙搬送経路部分１６ａは、ロール紙収納部４の真上に位置している。記録紙搬送経路部分１６ａには、プリンター後側からプリンター前側に向かって印刷位置Ａおよび切断位置Ｂがこの順番で設けられている。印刷位置Ａには、ノズル面が下向きになるようにキャリッジ１９に搭載されているインクジェットヘッド２０とプラテン１３とが一定のギャップで対向配置されている。プラテン１３はプリンター前後方向に延びるプラテンフレーム２１に搭載されており、プラテン１３によってインクジェットヘッド２０の印刷位置Ａが規定されている。プラテンフレーム２１の後端部分には、テンションローラー１８が取り付けられている。キャリッジ１９はプリンター幅方向に架け渡されたキャリッジガイド軸２２に沿って移動可能となっており、不図示のキャリッジモーターにより往復駆動される。
【００１９】
記録紙搬送経路部分１６ａにおいて、プラテン１３のプリンター後側には、紙送り駆動ローラー２３が配置されており、この紙送り駆動ローラー２３には、紙送り従動ローラー２４が下側から圧接されている。プラテン１３のプリンター前側における印刷位置Ａと切断位置Ｂとの間には、排紙駆動ローラー２５が配置されており、この排紙駆動ローラー２５には上側から排紙従動ローラー２６が圧接されている。紙送り駆動ローラー２３および排紙従動ローラー２６はプリンター本体２に搭載されており、紙送り従動ローラー２４および排紙駆動ローラー２５はプラテンフレーム２１に搭載されている。
【００２０】
切断位置Ｂにはオートカッターユニット(記録紙切断装置)２７が配置されている。オートカッターユニット２７は、一対の固定刃２８および可動刃１５と、可動刃１５を固定刃２８に対して接近する方向および離れる方向に駆動する可動刃駆動機構２９を備えるオートカッター１４と、記録紙搬送経路部分１６ａを挟んで上下に配置されている上側フレーム３０および下側フレーム３１を備えている。
【００２１】
上側フレーム３０はプリンター本体２の前端部分においてプリンター幅方向に架け渡されており、固定刃２８は、刃筋がプリンター幅方向に延びるようにして上側フレーム３０に取り付けられている。固定刃２８は、その刃先２８ａを記録紙搬送経路１６に向けている。下側フレーム３１はプラテンフレーム２１の前端部分に搭載されており、可動刃１５は、刃筋がプリンター幅方向に延びるようにして下側フレーム３１に搭載されている。可動刃１５は、固定刃２８よりもプリンター前側（開閉蓋５の開き側）に配置されており、その刃先１５ａを記録紙搬送経路１６に向けている。
【００２２】
可動刃１５のプリンター前側（開閉蓋５の開き側）に隣接する位置には、プリンター幅方向に延びる記録紙案内部材（係合部材）３２が配置されている。記録紙案内部材３２は、上側フレーム３０を介して、プリンター本体２に取り付けられている。
【００２３】
プラテンフレーム２１は前端部分が記録紙排出ガイド６に連結されることにより開閉蓋に取り付けられており、開閉蓋５が閉じ位置５Ａから開き位置５Ｂへ移動すると、開閉蓋５と一緒に移動して、プリンター本体２からプリンター前方に引き出される。開閉蓋５を開くと、プラテンフレーム２１に搭載されているプラテン１３、可動刃１５、可動刃駆動機構２９、テンションローラー１８、紙送り従動ローラー２４、排紙駆動ローラー２５などの部品が開閉蓋５と一緒にプリンター前方へ移動して、ロール紙収納部４および記録紙搬送経路１６が開放状態になる。
【００２４】
ロール紙３をロール紙収納部４に装填する際には、開閉蓋５を開くことにより開放状態になった空間を介して、記録紙３ａが引き出された状態のロール紙３をロール紙収納部４に投入する。しかる後に、開閉蓋５を閉じると、プラテンフレーム２１に搭載されているプラテン１３、可動刃１５、可動刃駆動機構２９、テンションローラー１８、紙送り従動ローラー２４、排紙駆動ローラー２５などの部品が元の位置に復帰して記録紙搬送経路１６が形成されるとともに、プラテン１３がインクジェットヘッド２０に一定のギャップで対峙して印刷位置Ａを規定する状態になり、可動刃１５が切断位置Ｂに配置された状態となる。同時に、引き出されていた記録紙３ａが記録紙搬送経路１６上でプラテン１３上の印刷位置Ａおよび切断位置Ｂを通過した状態にセットされる。
【００２５】
ロール紙収納部４から記録紙搬送経路１６に引き出された記録紙３ａは、紙送り駆動ローラー２３および紙送り従動ローラー２４の間を通って印刷位置Ａを経由して搬送され、印刷位置Ａでは記録紙３ａの表面にインクジェットヘッド２０によって印刷が施される。また、記録紙３ａは、排紙駆動ローラー２５および排紙従動ローラー２６の間を通って切断位置Ｂを経由して搬送され、切断位置Ｂではオートカッター１４により幅方向に切断される。切断により得られた一定長さの記録紙片がレシートなどとして発行される。
【００２６】
（オートカッターユニットおよび記録紙案内部材）
図３（ａ）はオートカッターユニットを前方斜め上から見た断面図であり、図３（ｂ）はオートカッターユニットを前方斜め下から見た断面図である。図４（ａ）は記録紙案内部材が取り付けられた状態のオートカッターユニットの部分正面図であり、図４（ｂ）はその断面図である。図４は可動刃が切断待機位置にある状態を示している。図５は可動刃駆動機構を説明するための説明図であり、図５（ａ）は可動刃が切断待機位置にある状態を示し、図５（ｂ）は可動刃が切断終了位置にある状態を示している。
【００２７】
図３、図４に示すように、オートカッターユニット２７の上側フレーム３０は、プリンター前後方向に延びる天板部分３０ａと、天板部分３０ａの前端縁から下方に延びる前板部分３０ｂと前板部分３０ｂの下端縁からプリンター後方に延びる下板部分３０ｃを備えている。
【００２８】
固定刃２８は、図４に示すように、プリンター幅方向に長い矩形をしている。固定刃２８の下端縁には直線状に延びる刃先２８ａが形成されている。刃先２８ａのプリンター幅方向の両側には、後述する可動刃１５の突出部が当接する一対の当接部２８ｂが形成されており、これら一対の当接部２８ｂはプリンター幅方向において記録紙搬送経路１６の外側に位置している。また、固定刃２８の上端縁部分にはプリンター幅方向の左右対称の位置に一対の矩形の切り欠き部２８ｃが設けられており、一対の切り欠き部２８ｃの間の上端縁中央部分２８ｄが上側フレーム３０の天板部分３０ａのプリンター幅方向の中央部分に取り付けられている。
【００２９】
上側フレーム３０に取り付けられた固定刃２８は、上端縁中央部分２８ｄを揺動中心として、刃先２８ａが切断位置Ｂで記録紙搬送経路１６に向く待機位置２８Ａと、刃先２８ａが記録紙案内部材３２の近傍で記録紙案内部材３２に向く退避位置２８Ｂ（図４（ｂ）において一点鎖線で示す位置）の間を変位可能となっている。また、固定刃２８のプリンター幅方向の中央部分にはコイルバネ３３の一方の端部が係止されており、このコイルバネ３３の他方の端部は、天板部分３０ａと前板部分３０ｂとの角部のプリンター幅方向の中央部分に形成された係止部３０ｄに取り付けられている。コイルバネ３３によって固定刃２８は退避位置２８Ｂに向かって付勢されている。
【００３０】
ここで、図４に示すように、上側フレーム３０の前板部分３０ｂには、プリンター前方から記録紙案内部材３２が取り付けられている。
【００３１】
記録紙案内部材３２は、プラテン１３の表面とほぼ平行にプリンター前後方向に延びている案内板部分３２ａと、案内板部分３２ａの後端縁からプリンター後方に向かって上方に傾斜している傾斜板部分３２ｂと、案内板部分３２ａの前端縁から上方に延びている取り付け板部分３２ｃを備えている。傾斜板部分３２ｂの後端は可動刃１５よりも僅かにプリンター前側に位置している。固定刃２８が退避位置２８Ｂにあるときには、固定刃２８の刃先２８ａは、傾斜板部分３２ｂの近傍で当該傾斜板部分３２ｂに向いている。
【００３２】
案内板部分３２ａの下端面３２ｄおよび傾斜板部分３２ｂの下方を向いている傾斜面３２ｅは、切断位置Ｂを通過した記録紙３ａの表面（固定刃２８の側の面）を記録紙搬送経路１６に沿うように案内する案内面となっている。下端面３２ｄは、固定刃２８の刃先２８ａよりも下方に位置している。また、下端面３２ｄは、排紙従動ローラー２６の下端よりも下方に位置しており、これにより、記録紙排出口７から排出された記録紙３ａの先端部分が切断される前にオペレーターによって上方に引っ張られた場合などに、排紙従動ローラー２６に当該排出従動ローラーを上方に移動させる負荷がかかることを防止している。
【００３３】
記録紙案内部材３２において、取り付け板部分３２ｃの下端縁部分、案内板部分３２ａ、および傾斜板部分３２ｂのプリンター幅方向の寸法は、固定刃２８のプリンター幅方向の寸法よりも短く形成されている。記録紙案内部材３２が上側フレーム３０に取り付けられた状態では、記録紙案内部材３２は、固定刃２８の刃先２８ａをプリンター前方から被うとともに、刃先２８ａの両側に設けられた一対の当接部２８ｂをプリンター前方に露出させている。
【００３４】
次に、オートカッターユニット２７の下側フレーム３１は、図３、図４に示すように、左右の側板部分３１ａ、３１ｂと、これら左右の側板部分３１ａ、３１ｂの前端縁に架け渡されている前板部分３１ｃと、左右の側板部分３１ａ、３１ｂの下端縁に架け渡されている底板部分３１ｄを備えている。左右の側板部分３１ａ、３１ｂのプリンター前後方向の中程には、前板部分３１ｃと平行に仕切り板３４が架け渡されている。
【００３５】
可動刃１５は、仕切り板３４の後側に配置されている。可動刃１５の刃先形状は、プリンター幅方向の中央部分が下方に窪んでおり、両端に向かって上方に傾斜している。刃先１５ａの中央部には溝形の切り欠き部１５ｂが形成されている。また、刃先１５ａのプリンター幅方向の両側には、上方に突出する一対の突出部１５ｃが設けられている。一対の突出部１５ｃはプリンター幅方向で記録紙搬送経路１６の外側に位置している。
【００３６】
仕切り板３４は、プリンター幅方向の中央部分に上下方向に延びる案内溝３４ａを備えている。案内溝３４ａには、案内溝３４ａに沿って上下移動可能な状態にスライダー３５が挿入されている。スライダー３５は上下２本のピン３６、３７により可動刃１５に取り付けられており、これにより、可動刃１５はスライダー３５とともに案内溝３４ａに沿って上下方向に移動可能となっている。
【００３７】
可動刃駆動機構２９は、仕切り板３４の後方で出力軸がプリンター幅方向に延びるように配置されているカッターモーター３８を備えている。カッターモーター３８の出力軸は、ウォームギヤを含む歯車列３９を介して、仕切り板３４の前側に配置されている駆動歯車４０に連結されている。駆動歯車４０は前板部分３１ｃに取り付けられた支軸４１を中心として回転自在となっており、駆動歯車４０の回転運動はクランク機構４２によって可動刃１５の上下方向の往復運動に変換される。
【００３８】
図５に示すように、クランク機構４２は、駆動歯車４０の円形端面における回転中心から外れた位置に垂直に取り付けたクランクピン４３と、直線状の一定長さの第１スライド溝４４ａが形成されたレバー４４を備えている。レバー４４は、仕切り板３４の前側に配置されており、駆動歯車４０の支軸４１とは異なる支軸４５を中心として仕切り板３４の前端面に沿って上下方向に旋回可能となっている。クランクピン４３は第１スライド溝４４ａにスライド可能な状態で挿入されており、駆動歯車４０の回転に伴ってクランクピン４３が支軸４１の回りを一回転すると、クランクピン４３の上下方向およびプリンター幅方向の移動に追従して、レバー４４が支軸４５を中心として上下方向に一往復旋回する。
【００３９】
また、レバー４４には、第１スライド溝４４ａよりも長さの短い第２スライド溝４４ｂが形成されている。第２スライド溝４４ｂには、可動刃１５とスライダー３５とを連結している２本のピン３６、３７のうちの上側のピン３６が、スライド可能な状態で挿入されている。レバー４４が上下方向に一往復旋回するのに伴って第２スライド溝４４ｂが上下方向に往復移動すると、第２スライド溝４４ｂの往復移動に追随して、ピン３６が上下方向に往復移動する。従って、可動刃１５は、その刃先１５ａが固定刃２８の刃先２８ａと所定の間隔を開けて対峙する図５（ａ）に示す切断待機位置１５Ａと、その刃先１５ａの全領域が固定刃２８の刃先２８ａと重なる図５（ｂ）に示す切断終了位置１５Ｂとの間を上下方向に一往復する。
【００４０】
（記録紙切断動作）
次に、図４〜図８を参照して、オートカッター１４による記録紙３ａの切断動作を説明する。図６（ａ）は記録紙案内部材が取り付けられた状態のオートカッターユニットの部分正面図であり、図６（ｂ）はその断面図である。図６は可動刃が切断開始位置にある状態を示している。図７（ａ）は記録紙案内部材が取り付けられた状態のオートカッターユニットの部分正面図であり、図７（ｂ）はその断面図である。図７は可動刃が切断終了位置にある状態を示している。図８は切断位置周辺の縦断面図であり、可動刃が印刷開始位置にあるときに開閉蓋を閉じ位置から開く開動作を行なった状態を示している。なお、図４〜図８では、切断位置を経由するように搬送されている記録紙を省略して示している。
【００４１】
ロール紙収納部４にロール紙３を投入して開閉蓋５を閉めると、開閉蓋５が閉じ位置５Ａに閉められる際に、可動刃１５の刃先１５ａの両側の一対の突出部１５ｃが固定刃２８の刃先２８ａの両側の一対の当接部２８ｂにプリンター前側から当接して、固定刃２８をコイルバネ３３の付勢力に抗して待機位置２８Ａに変位させる。そして、開閉蓋５が閉じ位置５Ａに位置すると、可動刃１５は切断位置Ｂに配置される。
【００４２】
切断位置Ｂでは、可動刃１５は切断待機位置１５Ａに位置している。切断待機位置１５Ａでは、可動刃１５は固定刃２８の刃先２８ａと所定の間隔を開けて対峙しており、記録紙搬送経路１６から下方に後退した状態（開閉蓋５に引き込まれた状態）となっている。
【００４３】
次に、印刷位置Ａで印刷が施された記録紙３ａが搬送されて切断位置Ｂに至ると、可動刃１５は、可動刃駆動機構２９によって切断待機位置１５Ａから切断終了位置１５Ｂに向かって移動させられる。図６に示すように、可動刃１５が移動して、その刃先１５ａがプリンター幅方向の両側から固定刃２８の刃先２８ａと部分的に重なる切断開始位置１５Ｃに至ると、オートカッター１４は切断位置Ｂにある記録紙３ａを幅方向の両側から切断し始める。切断開始位置１５Ｃでは、可動刃１５は、記録紙搬送経路１６に突出した状態（開閉蓋５から突出した状態）となっている。
【００４４】
その後、可動刃１５が切断終了位置１５Ｂに至ると、図７に示すように、可動刃１５の刃先１５ａと固定刃２８の刃先２８ａの全領域が重なり、記録紙３ａの切断が終了する。本例では、可動刃１５の刃先１５ａ中央部に切り欠き部１５ｂが形成されているので、可動刃１５の刃先１５ａと固定刃２８の刃先２８ａの全領域が重なっても、記録紙３ａを完全に切断せずに、その幅方向中央の一部分だけを切り残すパーシャルカットとなる。記録紙３ａの切断が終了すると、可動刃１５は切断待機位置１５Ａに戻される。
【００４５】
ここで、可動刃１５が、切断開始位置１５Ｃよりも切断終了位置１５Ｂ側へ移動すると、可動刃１５の刃先１５ａにおいて固定刃２８の刃先２８ａと重なっている部分が記録紙案内部材３２の下端面３２ｄよりも上に位置する状態になる。従って、記録紙３ａ切断動作の途中でオートカッター１４が故障して、可動刃１５が切断開始位置１５Ｃよりも切断終了位置１５Ｂの側に突出したままのロック状態に陥ってしまった場合などに開閉蓋５を閉じ位置５Ａから開くと、図８に示すように、可動刃１５が開閉蓋５と共に切断位置Ｂからプリンター前側に移動する際に、記録紙搬送経路１６に突出した状態の可動刃１５と記録紙案内部材３２の傾斜板部分３２ｂとが干渉して、開閉蓋５の移動が規制される。この結果、開閉蓋５を開くことができなくなるので、開閉蓋５から固定刃２８の側に突出した状態の可動刃１５が開閉蓋５と共に移動してプリンター本体２の外側に露出することがなく、開閉蓋５の開き動作を行っているオペレーターに可動刃１５の刃先１５ａが触れてしまうことがない。よって、開閉蓋５を開閉する際の安全性が確保される。
【００４６】
なお、記録紙切断動作の終了後に可動刃１５が切断待機位置１５Ａに戻れば、可動刃１５は記録紙搬送経路１６から退避した状態となっているので、可動刃１５と記録紙案内部材３２が干渉することがない。従って、開閉蓋５を開き位置５Ｂまで開くことができる。
【００４７】
（その他の実施の形態）
上記の例では、可動刃１５が切断開始位置１５Ｃよりも切断終了位置１５Ｂの側に移動すると、開閉蓋５を開く際に記録紙案内部材３２と可動刃１５とが干渉するようになっているが、可動刃１５が切断終了位置１５Ｂまで移動した状態で開閉蓋５を開いたときに記録紙案内部材３２と可動刃１５が干渉するようにしてもよい。この場合には、上側フレーム３０に対する記録紙案内部材３２の取り付け位置を上側に変更し、案内板部分３２ａおよび傾斜板部分３２ｂの位置を上方に移動させる。また、可動刃１５が切断待機位置１５Ａから切断終了位置１５Ｂの側に僅かに移動して可動刃１５の刃先１５ａが記録紙搬送経路１６に突出した状態（刃先１５ａが切断開始位置１５Ｃよりも切断待機位置１５Ａの側に位置している状態）で開閉蓋５を開いたときに、記録紙案内部材３２と可動刃１５とが干渉するように構成することもできる。この場合には、上側フレーム３０に対する記録紙案内部材３２の取り付け位置を下側に変更し、案内板部分３２ａおよび傾斜板部分３２ｂの位置を下方に移動させる。
【００４８】
また、上記の例では、開閉蓋５を開く際に記録紙案内部材３２と可動刃１５を干渉させることにより開閉蓋５の移動を規制していたが、記録紙案内部材３２とは別の係合部材をプリンター本体２の可動刃１５よりもプリンター前側に隣接する位置に取り付け、この係合部材と可動刃１５とを干渉させるようにすることもできる。
【００４９】
なお、上記の例では、オートカッター１４は、固定刃２８に対して可動刃１５が接近および離れる方向に直線往復移動する形式のものであったが、固定刃に対して可動刃が接近および離れる方向に旋回する鋏式のオートカッターであっても、固定刃がプリンター本体に取り付けられており、可動刃がプリンター本体に開閉可能に取り付けられた開閉蓋に取り付けられている場合には、本発明を適用できる。
【符号の説明】
【００５０】
１・ロール紙プリンター、２・プリンター本体、３・ロール紙、３ａ・記録紙、４・ロール紙収納部、４ａ・開口部、５・開閉蓋、５Ａ・閉じ位置、５Ｂ・開き位置、６・記録紙排出ガイド、７・記録紙排出口、８・電源スイッチ、９・スイッチ、１０・動作状態表示ランプ、１１・インクカートリッジ装着部、１１ａ・装着口、１２・インクカートリッジ、１３・プラテン、１４・オートカッター、１５・可動刃、１５ａ・刃先、１５ｂ・切り欠き部、１５ｃ・突出部、１５Ａ・切断待機位置、１５Ｂ・切断終了位置、１５Ｃ・切断開始位置、１６・記録紙搬送経路、１６ａ・記録紙搬送経路部分、１７・繰り出しローラー、１８・テンションローラー、１９・キャリッジ、２０・インクジェットヘッド、２１・プラテンフレーム、２２・キャリッジガイド軸、２３・紙送り駆動ローラー、２４・紙送り従動ローラー、２５・排紙駆動ローラー、２６・排紙従動ローラー、２７・オートカッターユニット、２８・固定刃、２８ａ・刃先、２８ｂ・当接部、２８ｃ・切り欠き部、２８ｄ・上端縁中央部分、２８Ａ・待機位置、２８Ｂ・退避位置、２９・可動刃駆動機構、３０・上側フレーム、３０ａ・天板部分、３０ｂ・前板部分、３０ｃ・下板部分、３０ｄ・係止部、３１・下側フレーム、３１ａ・３１ｂ・側板部分、３１ｃ・前板部分、３１ｄ・底板部分、３２・記録紙案内部材、３２ａ・案内板部分、３２ｂ・傾斜板部分、３２ｃ・取り付け板部分、３２ｄ・下端面、３２ｅ・傾斜面、３３・コイルバネ、３４・仕切り板、３４ａ・案内溝、３５・スライダー、３６・３７・ピン、３８・カッターモーター、３９・歯車列、４０・駆動歯車、４１・支軸、４２・クランク機構、４３・クランクピン、４４ａ・第１スライド溝、４４ｂ・第２スライド溝、４４・レバー、４５・支軸、Ａ・印刷位置、Ｂ・切断位置
【図１】
0005454087.tif 000002
【図２】
0005454087.tif 000003
【図３】
0005454087.tif 000004
【図４】
0005454087.tif 000005
【図５】
0005454087.tif 000006
【図６】
0005454087.tif 000007
【図７】
0005454087.tif 000008
【図８】
0005454087.tif 000009